(57)【要約】      （修正有）【課題】三つのブロックにより構成される筐体構造において、外観を良好にしながら、操作するブロックのグラつきも防止する。【解決手段】第１ブロック１と、第１ブロック１に回転可能に結合される第２ブロック２と、第１ブロック１及び第２ブロック２を部分的に覆い、且つ第１ブロック１に回転可能に結合される第３ブロック３と、を備える筐体構造であって、第３ブロック３に対し第２ブロック２を固定状態に保持可能とするラッチ部を備える。具体的には、第３ブロック３は、第１ブロック１及び第２ブロック２の周囲を覆うフレーム形状に形成されている。また、第１ブロック１に撮影レンズ４が設けられて、第２ブロック２に表示部５及びシャッターボタン６が設けられている。【選択図】図１
2012133061.tif 000002
【特許請求の範囲】
【請求項１】
第１ブロックと、
前記第１ブロックに回転可能に結合される第２ブロックと、
前記第１ブロック及び第２ブロックを部分的に覆い、且つ前記第１ブロックに回転可能に結合される第３ブロックと、を備える筐体構造であって、
前記第３ブロックに対し前記第２ブロックを固定状態に保持可能とするラッチ部を備えることを特徴とする筐体構造。
【請求項２】
前記第１ブロックに第２ブロックを回転可能に結合する第１ヒンジ部の回転軸線と、
前記第１ブロックに第３ブロックを回転可能に結合する第２ヒンジ部の回転軸線とが互いに直交することを特徴とする請求項１に記載の筐体構造。
【請求項３】
前記第３ブロックは、前記第１ブロック及び第２ブロックの周囲を覆うフレーム形状に形成されていることを特徴とする請求項１または２に記載の筐体構造。
【請求項４】
前記ラッチ部は、前記第２ブロックまたは第３ブロックの一方に設けられる凹部と、
前記第２ブロックまたは第３ブロックの他方に設けられ、前記凹部に係脱可能な可動突部とからなることを特徴とする請求項１から３のいずれか一項に記載の筐体構造。
【請求項５】
請求項１から４のいずれか一項に記載の筐体構造を備えることを特徴とする電子機器。
【請求項６】
前記第１ブロックに撮影レンズが設けられて、
前記第２ブロックに表示部及びシャッターボタンが設けられていることを特徴とする請求項５に記載の電子機器。
【発明の詳細な説明】
【技術分野】
【０００１】
本発明は、複数のブロックにより構成される筐体構造と、その筐体構造を備える電子機器に関する。
【背景技術】
【０００２】
例えば特許文献１の図６において、本体ブロックに対し、表示ブロックを回転可能に結合して、リモコンを着脱可能とした三つのブロックにより構成される筐体構造によるカメラが開示される。
【先行技術文献】
【特許文献】
【０００３】
【特許文献１】特開２０１０−１９１２７０号公報
【発明の概要】
【発明が解決しようとする課題】
【０００４】
三つのブロックにより構成される筐体構造として他には、例えば撮影レンズを有するレンズブロックに、液晶表示部を有する表示ブロックをヒンジ部で回転可能に結合して、これらレンズブロック及び表示ブロックの周囲を覆うフレームブロックを設け、そのフレームブロックをレンズブロックに対し別のヒンジ部で回転可能に結合する構造が考えられる。その場合、フレームブロックの内方で表示ブロックも回転可能となる。
【０００５】
ところで、このような筐体構造は、三つのブロックが互いに回転する、回転軸線が直交する二つのヒンジ部を有するため、その二つのヒンジ部の精度誤差の集積によっては、表示ブロックとフレームブロックとのクリアランスに大きな差が生じて外観を損なってしまうことが考えられる。
また、例えば表示ブロックにシャッターボタンを設けることが考えられるが、その場合、シャッターボタンを押した際に、ヒンジ部の支持剛性によっては、表示ブロックがグラついてしまうことが考えられる。
【０００６】
本発明の課題は、三つのブロックにより構成される筐体構造において、外観を良好にしながら、操作するブロックのグラつきも防止することである。
【課題を解決するための手段】
【０００７】
以上の課題を解決するため、請求項１に記載の発明は、第１ブロックと、前記第１ブロックに回転可能に結合された第２ブロックと、前記第１ブロック及び第２ブロックを部分的に覆い、且つ前記第１ブロックに回転可能に結合された第３ブロックと、を備える筐体構造であって、前記第３ブロックに対し前記第２ブロックを固定状態に保持可能とするラッチ部を備えることを特徴とする。
【０００８】
請求項２に記載の発明は、請求項１に記載の筐体構造であって、前記第１ブロックに第２ブロックを回転可能に結合する第１ヒンジ部の回転軸線と、前記第１ブロックに第３ブロックを回転可能に結合する第２ヒンジ部の回転軸線とが直交することを特徴とする。
【０００９】
請求項３に記載の発明は、請求項１または２に記載の筐体構造であって、前記第３ブロックは、前記第１ブロック及び第２ブロックの周囲を覆うフレーム形状に形成されていることを特徴とする。
【００１０】
請求項４に記載の発明は、請求項１から３のいずれか一項に記載の筐体構造であって、  前記ラッチ部は、前記第２ブロックまたは第３ブロックの一方に設けられる凹部と、前記第２ブロックまたは第３ブロックの他方に設けられ、前記凹部に係脱可能な可動突部とからなることを特徴とする。
【００１１】
請求項５に記載の発明は、請求項１から４のいずれか一項に記載の筐体構造を備える電子機器を特徴とする。
【００１２】
請求項６に記載の発明は、請求項５に記載の電子機器であって、前記第１ブロックに撮影レンズが設けられて、前記第２ブロックに表示部及びシャッターボタンが設けられていることを特徴とする。
【発明の効果】
【００１３】
本発明によれば、三つのブロックにより構成される筐体構造の外観を良好にしながら、操作するブロックのグラつきも防止することができる。
【図面の簡単な説明】
【００１４】
【図１】本発明を適用した電子機器の一実施形態の構成を示すもので、カメラの正面図（ａ）、側面図（ｂ）（ｃ）、平面図（ｄ）、及び背面図（ｅ）である。
【図２】図１のカメラの斜視図である。
【図３】図１のカメラの表示ブロックを回転させた図である。
【図４】図１のカメラのフレームブロックを回転させた図である。
【図５】図１の矢印Ａ−Ａ線に沿った拡大断面図である。
【図６】図１の矢印Ｂ−Ｂ線に沿った拡大断面図である。
【図７】図１のカメラの表示ブロックを手前に若干移動させるときの平面図である。
【図８】図７の状態で図６に対応した断面図である。
【図９】図７の表示ブロックをさらに手前に移動させた図である。
【図１０】図９の状態に対応した断面図である。
【発明を実施するための形態】
【００１５】
以下、図を参照して本発明を実施するための形態を詳細に説明する。
図１及び図２は本発明を適用した電子機器の一実施形態の構成としてカメラを示すもので、１はレンズブロック、２は表示ブロック、３はフレームブロック、４は撮影レンズ、５は表示部、６はシャッターボタンである。
【００１６】
図示のように、カメラの筐体は、撮影レンズ４を有するレンズブロック１と、液晶表示による表示部５及びその隣に並ぶシャッターボタン６を有する表示ブロック２と、これら二つのレンズブロック１及び表示ブロック２の周囲を覆うコ字型のフレーム形状に形成したフレームブロック３とからなる三つのブロックにより構成されている。
【００１７】
そして、レンズブロック１に対し表示ブロック２とフレームブロック３が二軸ヒンジ部を介してそれぞれ回転可能に結合されている。
すなわち、レンズブロック１に対して、第１ヒンジ部を介して表示ブロック２が回転可能に結合されるとともに、第２ヒンジ部を介してフレームブロック３が回転可能に結合されている。
【００１８】
二軸ヒンジ部は、図１に示すように、レンズブロック１に表示ブロック２を結合する第１ヒンジ部の回転軸線Ｌ１と、レンズブロック１にフレームブロック３を結合する第２ヒンジ部の回転軸線Ｌ２が互いに直交している。
【００１９】
従って、図３に示すように、レンズブロック１に対し表示ブロック２が第１ヒンジ部の回転軸線Ｌ１を中心に回転する。
また、図４に示すように、レンズブロック１及び表示ブロック２に対しフレームブロック３が第２ヒンジ部の回転軸線Ｌ２を中心に回転する。
【００２０】
具体的には、フレームブロック３は２７０度回転し、使用時にフレームブロック３の角度を変えることで様々なスタイルで撮影ができる。
例えばフレームブロック３を開いて三脚スタンドのように立てて撮影したり、フレームブロック３のコ字型フレーム形状を活かして壁面などのフックに掛けて撮影したり、フレームブロック３をグリップしてカムコーダーのような持ち方でも撮影ができる（図４参照）。
またフレームブロックには弾性を有する樹脂で形成されストラップを通す為のストラップ通し部材３１が備えられている（図１参照）。このストラップ通し部材３１は、上記三脚スタンドのようにカメラを立てた場合に滑り止めの機能を果たす。
【００２１】
なお、フレームブロック３でレンズブロック１及び表示ブロック２の周囲を覆った状態では通常のカメラスタイルで撮影ができる（図２参照）。
【００２２】
ここで、通常のカメラスタイルで撮影するとき、シャッターボタン６やその他のコントロールキーを親指で操作する際、その操作中に指で表示ブロック２やその表示部５の画面を押し込む力がかかりやすい。
そのとき、レンズブロック１と反対側において、表示ブロック２とフレームブロック３のグラつきを防ぐために、第１ヒンジ部の回転軸線Ｌ１の延長線上に位置するラッチ部７が設けられている。
【００２３】
ラッチ部７は、図５及び図６に示すように、表示ブロック２に設けた凹部７２と、フレームブロック３のストラップ通し部材３１の反対側側面に設けたロックピン７３及びロックばね７４とから構成されている。
すなわち、表示ブロック２のレンズブロック１と反対側端面の中央に、第１ヒンジ部の回転軸線Ｌ１の延長線上に中心が位置する半球面状の凹部７２を形成する。
また、フレームブロック３のレンズブロック１と反対側端部の内側面の中央に、第１ヒンジ部の回転軸線Ｌ１の延長線上に中心が位置する先端が半球面状のロックピン７３を出没可能に組み込むとともに、このロックピン７３を突出方向に付勢するロックばね７４を組み込む。このロックばね７４は、ストラップ通し部材３１によりロックピン７３側に圧接するように固定され、シャッターボタン６の操作力以上のロック力を確保する設定荷重とする。
【００２４】
以上のラッチ部７によれば、ロックピン７３がロックばね７４の付勢により突出して凹部７２に係合したロック状態に保たれる。
すなわち、レンズブロック１と反対側において、表示ブロック２とフレームブロック３がラッチ部７により係合状態に保持されるため、図１（ｅ）に示すように、通常のカメラスタイルでシャッターボタン６を押しても、表示ブロック２のグラつきを防いで良好な撮影が行える。
また、その他のコントロールキーを親指で操作する際、その操作中に指で表示ブロック２や表示部５の画面を押し込んだときでも、表示ブロック２のグラつきを防ぐことができる。
【００２５】
そして、図３に示すように、レンズブロック１に対し表示ブロック２を第１ヒンジ部の回転軸線Ｌ１を中心に回転させる場合は、その第１ヒンジ部の回転軸線Ｌ１の延長線上において、ロックピン７３が凹部７２に係合したロック状態に保たれているため、表示ブロック２とフレームブロック３とのクリアランスは小さく安定している。
従って、三つのブロックにより構成されるカメラ筐体として良好な外観が得られる。
【００２６】
レンズブロック１及び表示ブロック２に対しフレームブロック３を第２ヒンジ部の回転軸線Ｌ２を中心に回転させる場合は、表示ブロック２とフレームブロック３に対しシャッター操作以上の力を掛けることで、図７及び図８に示すように、ロックピン７３がロックばね７４の付勢に抗して凹部７２から離脱し、図９及び図１０に示すように、ラッチ部７のロックが解除された状態になる。
【００２７】
ラッチ部７の解除状態からロック状態への移行は逆の手順でなされる。
【００２８】
（変形例）
以上の実施形態においては、カメラとしたが、本発明はこれに限定されるものではなく、カメラを備える携帯電話などの電子機器であってもよい。
また、実施形態では、レンズブロック１にフレームブロック３を回転可能に結合したが、表示ブロック２にフレームブロック３を回転可能に結合してもよい。その場合においても、操作中に指で表示ブロック２や表示部５の画面やレンズブロック１を押し込んだときでも、レンズブロック１（撮影レンズ４）のグラつきを防ぐことができる。
【００２９】
さらに、実施形態では、表示ブロックに凹部を設け、フレームブロックに可動突部を設けてラッチ部としたが、表示ブロックに可動突部を設け、フレームブロックに凹部を設けてラッチ部を構成してもよい。
また、各ブロックの形状等も任意であり、その他、具体的な細部構造等についても適宜に変更可能であることは勿論である。
【符号の説明】
【００３０】
１  第１ブロック
２  第２ブロック
３  第３ブロック
４  撮影レンズ
５  表示部
６  シャッターボタン
７  ラッチ部
７２  凹部
７３  可動突部
７４  ばね
Ｌ１  第１ヒンジ部の回転軸線
Ｌ２  第２ヒンジ部の回転軸線
【図１】
2012133061.tif 000003
【図２】
2012133061.tif 000004
【図３】
2012133061.tif 000005
【図４】
2012133061.tif 000006
【図５】
2012133061.tif 000007
【図６】
2012133061.tif 000008
【図７】
2012133061.tif 000009
【図８】
2012133061.tif 000010
【図９】
2012133061.tif 000011
【図１０】
2012133061.tif 000012